(57)【要約】【課題】トレーと上箱とから成る梱包箱を、容易に製造でき、梱包時の美観にも優れたものとする。【解決手段】トレー１及び上箱２を一枚の薄板材から構成し、この薄板材のトレー１及び上箱２となる部分の境界に繋部を有する切離線１０を入れ、上箱２の高さ方向の稜線となる罫線１１，１２に沿って切離線１０から上方へ切込１３を設けておき、使用時に切離線１０の繋部を切断して、トレー１となる部分と上箱２となる部分とを分割し、これらの各部分からトレー１及び上箱２をそれぞれ組み立て、上箱２の切込１３とトレー１の周壁稜部とを噛み合わせることにより、上箱２の周壁の隣接する二面の一方をトレー１の外側に出し、他方をトレー１の内側に入れ、トレー１と上箱２とを結合する。【選択図】図５
2007022539.tif 000002
【特許請求の範囲】
【請求項１】
物品を載せるトレー１と、その上に被せる上箱２とから成り、トレー１と上箱２とを結合して運搬する梱包箱において、トレー１及び上箱２を一枚の薄板材から構成し、この薄板材のトレー１及び上箱２となる部分の境界に繋部を有する切離線１０を入れ、上箱２の高さ方向の稜線となる罫線１１，１２に沿って切離線１０から上方へ切込１３を設けておき、使用時に切離線１０の繋部を切断して、トレー１となる部分と上箱２となる部分とを分割し、これらの各部分からトレー１及び上箱２をそれぞれ組み立て、上箱２の切込１３とトレー１の周壁稜部とを噛み合わせることにより、上箱２の周壁の隣接する二面の一方をトレー１の外側に出し、他方をトレー１の内側に入れ、トレー１と上箱２とを結合するようにしたことを特徴とする梱包箱。
【請求項２】
請求項１に記載の梱包箱において、前記薄板材では、周壁の対角の稜線となる２本の罫線１１を、トレー１及び上箱２となる部分で一直線上に揃えておき、この罫線１１に沿って薄板材を折り曲げ、周壁の両端を接合するようにしたことを特徴とする梱包箱。
【請求項３】
請求項１又は２に記載の梱包箱において、前記トレー１及び上箱２の周壁の重なり合う部分に挿通穴１４をそれぞれ設け、これらの挿通穴１４にジョイント具１６を挿通し、トレー１と上箱２との位置ずれを防止して、これらを結合するようにしたことを特徴とする梱包箱。
【請求項４】
請求項１乃至３のいずれかに記載の梱包箱において、薄板材のトレー１及び上箱２となる部分を同時に印刷したことを特徴とする梱包箱。
【請求項５】
請求項１乃至４のいずれかに記載の梱包箱において、薄板材のトレー１及び上箱２となる部分を罫線１１に沿って共に扁平に折り畳んだ状態で納品するようにしたことを特徴とする梱包箱。
【請求項６】
請求項１乃至５のいずれかに記載の梱包箱において、薄板材のトレー１及び上箱２となる部分を同時に打抜加工して形成したことを特徴とする梱包箱。
【発明の詳細な説明】
【技術分野】
【０００１】
この発明は、テレビ等の商品を輸送用に梱包する梱包箱に関するものである。
【背景技術】
【０００２】
従来、テレビの輸送に使用する段ボール製梱包箱として、図６に示すように、テレビＴを載せるトレー５１と、その上に被せる上箱５２とから成り、上箱５２の下部をトレー５１の内側に嵌め込み、トレー５１及び上箱５２の周壁の重なり合う部分にそれぞれ設けた挿通穴にプラスチック製のジョイント具５３を挿通して、トレー５１と上箱５２とを結合した状態で運搬するものが使用されている（下記特許文献１参照）。また、上箱の下部をトレーの外側に嵌め込むものも使用されている（図示省略）。
【０００３】
【特許文献１】特開２００２−１０４３９５号公報
【発明の開示】
【発明が解決しようとする課題】
【０００４】
しかしながら、上記のような梱包箱では、トレーと上箱の外周寸法に差を設ける必要があるため、これらの薄板材を別々に印刷・打抜して組み立てなければならず、コストが高くつくほか、トレーと上箱とで段ボールや印刷の色目が合わず、デザイン上の違和感が生じることもあった。
【０００５】
そこで、この発明は、製造が容易で、梱包時の美観にも優れたトレーと上箱とから成る梱包箱を提供することを課題とする。
【課題を解決するための手段】
【０００６】
上記課題を解決するため、この発明は、物品を載せるトレーと、その上に被せる上箱とから成り、トレーと上箱とを結合して運搬する梱包箱において、トレー及び上箱を一枚の薄板材から構成し、この薄板材のトレー及び上箱となる部分の境界に繋部を有する切離線を入れ、上箱の高さ方向の稜線となる罫線に沿って切離線から上方へ切込を設けておき、使用時に切離線の繋部を切断して、トレーとなる部分と上箱となる部分とを分割し、これらの各部分からトレー及び上箱をそれぞれ組み立て、上箱の切込とトレーの周壁稜部とを噛み合わせることにより、上箱の周壁の隣接する二面の一方をトレーの外側に出し、他方をトレーの内側に入れ、トレーと上箱とを結合するようにしたのである。
【０００７】
また、前記薄板材では、周壁の対角の稜線となる２本の罫線を、トレー及び上箱となる部分で一直線上に揃えておき、この罫線に沿って薄板材を折り曲げ、周壁の両端を接合するようにしたのである。
【０００８】
さらに、前記トレー及び上箱の周壁の重なり合う部分に挿通穴をそれぞれ設け、これらの挿通穴にジョイント具を挿通して、トレーと上箱とを結合するようにしたのである。なお、トレーと上箱とは、バンド掛け等により結合することもできる。
【発明の効果】
【０００９】
この梱包箱では、トレー及び上箱が一枚の薄板材から成るので、トレー及び上箱について印刷・打抜を同時に行うことができ、製造が容易になると共に、段ボールや印刷の色目が統一され、トレーと上箱とを結合した梱包状態の美観も優れたものとなる。
【００１０】
また、周壁の対角の稜線となる２本の罫線を、トレー及び上箱の部分で一直線上に揃えておくと、トレー及び上箱について周壁の接合を同時に行うことができ、一般の溝切り形段ボール箱と同様の工程で容易に製造できる。
【００１１】
さらに、トレー及び上箱の周壁に設けるジョイント具の挿通穴を、結合状態での位置ずれを考慮して大きめに開けておく必要がなく、トレーと上箱とを精度よく堅固に一体化することができる。
【発明を実施するための最良の形態】
【００１２】
以下、この発明の実施形態を添付図面に基づいて説明する。
【００１３】
この梱包箱は、薄型の液晶テレビを梱包するものであり、図１に示すように、一枚の段ボール製薄板材から構成される。この薄板材は、トレー１となる部分と、上箱２となる部分とから構成され、その周壁となる部分は、各一対の側板３及び端板４を交互に連設して構成されている。一方の側板３の外側には継代片５が連設され、各側板３及び端板４の下端には底板６，７が、上端には天板８，９がそれぞれ連設されている。
【００１４】
トレー１及び上箱２となる部分の境界には、数箇所に繋部を有する切離線１０が入れられ、上箱２の高さ方向の稜線となる４本の罫線１１，１２に沿って切離線１０から上方へ切込１３が設けられている。罫線１１，１２のうち、周壁の対角の稜線となる２本の罫線１１は、トレー１及び上箱２の部分で一直線上に揃っている。
【００１５】
一対の側板３には、切離線１０の上下にジョイント具を挿通する四角形の挿通穴１４が左右に間隔をおいて２個ずつ設けられている。また、各側板３及び端板４には、長円形の取手穴１５が設けられている。
【００１６】
上記のような薄板材から梱包箱を製造する際には、平面状態の薄板材を、図２に示すように、２本の罫線１１に沿って内側へ重ね合わせるように折り曲げ、継代片５を反対側の端板４の裏面に貼り付けて、周壁の両端を接合する。
【００１７】
そして、この梱包箱を使用して液晶テレビを梱包する際には、図２に示す扁平な折畳状態のまま、切離線１０の繋部を切断して、図３に示すように、トレー１となる部分と上箱２となる部分とを分割する。
【００１８】
次に、図４に示すように、トレー１となる部分の周壁を角筒状に形成し、底板６，７を折り曲げてトレー１の底面を閉止することにより、トレー１を立体的形状に組み立てると共に、同じく図４に示すように、上箱２となる部分の周壁を角筒状に形成し、上箱２も立体的形状に組み立てる。
【００１９】
続いて、図５に示すように、トレー１に液晶テレビＴを載置し、上方から上箱２を被せ、上箱２の切込１３にトレー１の周壁稜部を差し込み、上箱２の側板３と端板４のうち、一方の下部をトレー１の外側に出し、他方の下部をトレー１の内側に入れて、トレー１と上箱２とを噛合させ、天板８，９で上箱２の天面を閉止する。
【００２０】
その後、トレー１と上箱２の周壁の一致した挿通穴１４にプラスチック製のジョイント具１６を挿通して、箱内でジョイント具１６の爪を開かせることにより、ジョイント具１６を抜け止めし、トレー１と上箱２とを結合する。
【００２１】
上記のような梱包箱では、トレー１となる部分と、上箱２となる部分とが一枚の薄板材から構成されているので、トレー１及び上箱２の双方の部分について印刷・打抜を同時に行うことができ、製造が容易になる。
【００２２】
また、罫線１１がトレー１及び上箱２の部分で一直線上に揃っているので、トレー１及び上箱２について周壁の接合を同時に行うことができ、一般の溝切り形段ボール箱と同様の工程で容易に製造できる。また、薄板材の輸送・保管時の取り扱いも容易になる。
【００２３】
さらに、梱包状態において、トレー１及び上箱２の段ボールや印刷の色目が統一されているので、デザイン上の違和感がなく、美観に優れた梱包物となり、商品のイメージを高めることができる。
【００２４】
また、従来の梱包箱では、トレーと上箱の外周寸法に差があることから、結合状態での位置ずれを考慮して、挿通穴を大きめに開けておく必要があったが、上記梱包箱では、トレー１と上箱２の外周寸法が同一であり、嵌合精度がよくなるため、挿通穴１４の遊びを最小限にしておくことができ、トレー１と上箱２とを堅固に一体化することができる。
【図面の簡単な説明】
【００２５】
【図１】この発明の実施形態に係る梱包箱の薄板材を示す図
【図２】同上の周壁両端を貼り付けた折畳状態を示す斜視図
【図３】同上のトレー及び上箱となる部分を分離した状態を示す斜視図
【図４】同上のトレーと上箱の組立状態を示す斜視図
【図５】同上の梱包状態を示す斜視図
【図６】従来の梱包箱の梱包状態を示す斜視図
【符号の説明】
【００２６】
１  トレー
２  上箱
３  側板
４  端板
５  継代片
６，７  底板
８，９  天板
１０  切離線
１１，１２  罫線
１３  切込
１４  挿通穴
１５  取手穴
１６  ジョイント具
【図１】
2007022539.tif 000003
【図２】
2007022539.tif 000004
【図３】
2007022539.tif 000005
【図４】
2007022539.tif 000006
【図５】
2007022539.tif 000007
【図６】
2007022539.tif 000008